(57)【要約】【課題】受信可能な物理チャンネルの周波数帯域情報を効率的に取得する。【解決手段】デジタル放送受信機のＭＰＵ１１は、受信可否判定部１１１によって受信可能であると判定された１の周波数帯域情報を受信チャンネル記憶部１２２に記録するチャンネル記録部１１２と、受信可否判定部１１１によって受信可能であると判定された１の周波数帯域のテレビジョン放送に含まれるＮＩＴ情報を取得し、取得されたＮＩＴ情報の中から、受信可否を判定する対象の物理チャンネルに対応する周波数帯域情報である判定対象周波数情報を抽出する周波数取得部１１３と、抽出された判定対象周波数情報を、周波数記憶部１２１に予め格納された判定対象周波数情報に換えて、周波数記憶部１２１に記録する周波数置換部１１４と、を備えている。【選択図】図２
2009105792.tif 000002
【特許請求の範囲】
【請求項１】
デジタル方式のテレビジョン放送を受信し、受信した映像情報をモニタに表示可能に接続されたデジタル放送受信装置であって、
予め設定された周波数帯域のテレビジョン放送を受信する受信手段と、
受信可否を判定する対象の物理チャンネルに対応する周波数帯域情報である判定対象周波数情報を複数個だけ予め格納する周波数記憶手段と、
前記周波数記憶手段に格納された複数個の判定対象周波数情報の中から予め設定された順に１の判定対象周波数情報を選定し、前記受信手段を介して、選定された判定対象周波数情報に対応する周波数帯域のテレビジョン放送の受信可否を判定する受信可否判定手段と、
受信可能な物理チャンネルに対応する周波数帯域情報を格納する受信チャンネル記憶手段と、
前記受信可否判定手段によって受信可能であると判定された場合に、前記１の判定対象周波数情報に対応する周波数帯域情報を前記受信チャンネル記憶手段に記録するチャンネル記録手段と、
前記受信可否判定手段によって受信可能であると判定された場合に、前記受信手段を介して、前記１の判定対象周波数情報に対応する周波数帯域のテレビジョン放送に含まれるＮＩＴ（Ｎｅｔｗｏｒｋ  Ｉｎｆｏｒｍａｔｉｏｎ  Ｔａｂｌｅ）情報を取得し、取得されたＮＩＴ情報の中から、前記判定対象周波数情報を抽出する周波数取得手段と、
前記周波数取得手段によって抽出された判定対象周波数情報を、前記周波数記憶手段に予め格納された判定対象周波数情報に換えて、前記周波数記憶手段に記録する処理である周波数置換処理を実行する周波数置換手段と、
を備えることを特徴とするデジタル放送受信装置。
【請求項２】
該デジタル放送受信装置が配設されている国の国名を識別する国名識別情報を予め格納する国名記憶手段と、
前記周波数取得手段によって取得されたＮＩＴ情報に基づいて、前記受信可否判定手段によって受信可能であると判定された１の判定対象周波数情報に対応する周波数帯域のテレビジョン放送を送出する放送塔から送出されるテレビジョン放送が対象としている視聴者の居住する国の国名を識別する国名識別情報を取得する国名取得手段と、
前記国名取得手段によって取得された国名識別情報が前記国名記憶手段に格納された国名識別情報と一致するか否かを判定する国名判定手段と、
前記国名判定手段によって一致しないと判定された場合に、前記周波数置換手段に対して、前記周波数置換処理の実行を禁止する禁止手段と、
を備えることを特徴とする請求項１に記載のデジタル放送受信装置。
【請求項３】
前記国名取得手段は、前記ＮＩＴ情報に含まれるｏｒｉｇｉｎａｌ＿ｎｅｔｗｏｒｋ＿ｉｄに基づいて、前記国名識別情報を取得することを特徴とする請求項２に記載のデジタル放送受信装置。
【請求項４】
前記周波数取得手段は、前記１の判定対象周波数情報に対応する周波数帯域のテレビジョン放送を送信している放送塔から送出する全ての周波数帯域情報を抽出することを特徴とする請求項１〜請求項３のいずれかに記載のデジタル放送受信装置。
【請求項５】
前記周波数取得手段は、他のネットワークに関するＮＩＴ情報に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙに基づいて、前記周波数帯域情報を抽出することを特徴とする請求項４に記載のデジタル放送受信装置。
【請求項６】
前記周波数取得手段は、前記１の判定対象周波数情報に対応する周波数帯域のテレビジョン放送を送信している放送塔を含む複数の放送塔から送出する全ての周波数帯域情報を抽出することを特徴とする請求項１〜請求項３のいずれかに記載のデジタル放送受信装置。
【請求項７】
前記周波数取得手段は、他のネットワークに関するＮＩＴ情報に含まれるｆｒｅｑｕｅｎｃｙ  ｌｉｓｔ  ｄｅｓｃｒｉｐｔｏｒのｃｅｎｔｒｅ＿ｆｒｅｑｕｅｎｃｙに基づいて、前記周波数帯域情報を抽出することを特徴とする請求項６に記載のデジタル放送受信装置。
【発明の詳細な説明】
【技術分野】
【０００１】
本発明は、デジタル方式のテレビジョン放送を受信し、受信した映像情報をモニタに表示可能に接続されたデジタル放送受信装置に関する。
【背景技術】
【０００２】
テレビジョン放送を受信し、外部から視認可能にモニタに出力可能に構成された放送受信装置では、受信周波数を、例えば低い方から高い方へとスキャンしていき、テレビジョン放送の受信ができたチャンネルを、いわゆるチャンネルマップとして内部メモリに登録するチャンネルプリセット機能を有している。
【０００３】
上記チャンネルプリセットを効率的に行うために、種々の装置、方法等が提案されている。例えば、チャンネルマップにチャンネルを登録するときには物理チャンネル単位で登録し、削除するときにはサブチャンネル単位で削除する受信装置が開示されている（特許文献１参照）。上記受信装置によれば、チャンネルマップへのチャンネルの登録にかかる手間が抑えられるとともに、ユーザが自分の好みにあったチャンネルのみチャンネルマップに登録できる。
【特許文献１】特開２００２−３４４８３２号公報
【発明の開示】
【発明が解決しようとする課題】
【０００４】
しかしながら、上記受信装置等の従来の放送受信装置では、予め設定された全ての物理チャンネルについて受信可否を判定する必要があるため、チャンネルマップを生成する（＝受信可能な物理チャンネルの周波数帯域情報等のチャンネル情報を取得して格納する）ために多大な時間を要する場合があった。
【０００５】
本発明は、上記課題に鑑みてなされたものであって、受信可能な物理チャンネルの周波数帯域情報を効率的に取得することの可能なデジタル放送受信装置を提供することを目的としている。
【課題を解決するための手段】
【０００６】
上記目的を達成するために請求項１に記載のデジタル放送受信装置は、デジタル方式のテレビジョン放送を受信し、受信した映像情報をモニタに表示可能に接続されたデジタル放送受信装置であって、予め設定された周波数帯域のテレビジョン放送を受信する受信手段と、受信可否を判定する対象の物理チャンネルに対応する周波数帯域情報である判定対象周波数情報を複数個だけ予め格納する周波数記憶手段と、前記周波数記憶手段に格納された複数個の判定対象周波数情報の中から予め設定された順に１の判定対象周波数情報を選定し、前記受信手段を介して、選定された判定対象周波数情報に対応する周波数帯域のテレビジョン放送の受信可否を判定する受信可否判定手段と、受信可能な物理チャンネルに対応する周波数帯域情報を格納する受信チャンネル記憶手段と、前記受信可否判定手段によって受信可能であると判定された場合に、前記１の判定対象周波数情報に対応する周波数帯域情報を前記受信チャンネル記憶手段に記録するチャンネル記録手段と、前記受信可否判定手段によって受信可能であると判定された場合に、前記受信手段を介して、前記１の判定対象周波数情報に対応する周波数帯域のテレビジョン放送に含まれるＮＩＴ（Ｎｅｔｗｏｒｋ  Ｉｎｆｏｒｍａｔｉｏｎ  Ｔａｂｌｅ）情報を取得し、取得されたＮＩＴ情報の中から、前記判定対象周波数情報を抽出する周波数取得手段と、前記周波数取得手段によって抽出された判定対象周波数情報を、前記周波数記憶手段に予め格納された判定対象周波数情報に換えて、前記周波数記憶手段に記録する処理である周波数置換処理を実行する周波数置換手段と、を備えることを特徴としている。
【０００７】
請求項２に記載のデジタル放送受信装置は、請求項１に記載のデジタル放送受信装置であって、該デジタル放送受信装置が配設されている国の国名を識別する国名識別情報を予め格納する国名記憶手段と、前記周波数取得手段によって取得されたＮＩＴ情報に基づいて、前記受信可否判定手段によって受信可能であると判定された１の判定対象周波数情報に対応する周波数帯域のテレビジョン放送を送出する放送塔から送出されるテレビジョン放送が対象としている視聴者の居住する国の国名を識別する国名識別情報を取得する国名取得手段と、前記国名取得手段によって取得された国名識別情報が前記国名記憶手段に格納された国名識別情報と一致するか否かを判定する国名判定手段と、前記国名判定手段によって一致しないと判定された場合に、前記周波数置換手段に対して、前記周波数置換処理の実行を禁止する禁止手段と、を備えることを特徴としている。
【０００８】
請求項３に記載のデジタル放送受信装置は、請求項２に記載のデジタル放送受信装置であって、前記国名取得手段が、前記ＮＩＴ情報に含まれるｏｒｉｇｉｎａｌ＿ｎｅｔｗｏｒｋ＿ｉｄに基づいて、前記国名識別情報を取得することを特徴としている。
【０００９】
請求項４に記載のデジタル放送受信装置は、請求項１〜請求項３のいずれかに記載のデジタル放送受信装置であって、前記周波数取得手段が、前記１の判定対象周波数情報に対応する周波数帯域のテレビジョン放送を送信している放送塔から送出する全ての周波数帯域情報を抽出することを特徴としている。
【００１０】
請求項５に記載のデジタル放送受信装置は、請求項４に記載のデジタル放送受信装置であって、前記周波数取得手段が、他のネットワークに関するＮＩＴ情報に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙに基づいて、前記周波数帯域情報を抽出することを特徴としている。
【００１１】
請求項６に記載のデジタル放送受信装置は、請求項１〜請求項３のいずれかに記載のデジタル放送受信装置であって、前記周波数取得手段が、前記１の判定対象周波数情報に対応する周波数帯域のテレビジョン放送を送信している放送塔を含む複数の放送塔から送出する全ての周波数帯域情報を抽出することを特徴としている。
【００１２】
請求項７に記載のデジタル放送受信装置は、請求項６に記載のデジタル放送受信装置であって、前記周波数取得手段が、他のネットワークに関するＮＩＴ情報に含まれるｆｒｅｑｕｅｎｃｙ  ｌｉｓｔ  ｄｅｓｃｒｉｐｔｏｒのｃｅｎｔｒｅ＿ｆｒｅｑｕｅｎｃｙに基づいて、前記周波数帯域情報を抽出することを特徴としている。
【発明の効果】
【００１３】
請求項１に記載のデジタル放送受信装置によれば、受信可否を判定する対象の物理チャンネルに対応する周波数帯域情報である判定対象周波数情報が複数個だけ周波数記憶手段に予め格納されており、周波数記憶手段に格納された複数個の判定対象周波数情報の中から予め設定された順に１の判定対象周波数情報が選定され、受信手段を介して、選定された判定対象周波数情報に対応する周波数帯域のテレビジョン放送の受信可否が判定される。そして、受信可能であると判定された場合に、１の判定対象周波数情報に対応する周波数帯域情報が、受信可能な物理チャンネルに対応する周波数帯域情報を格納する受信チャンネル記憶手段に記録されると共に、受信手段を介して、１の判定対象周波数情報に対応する周波数帯域のテレビジョン放送に含まれるＮＩＴ（Ｎｅｔｗｏｒｋ  Ｉｎｆｏｒｍａｔｉｏｎ  Ｔａｂｌｅ）情報が取得され、取得されたＮＩＴ情報の中から判定対象周波数情報が抽出され、抽出された判定対象周波数情報が、周波数記憶手段に予め格納された判定対象周波数情報に換えて、周波数記憶手段に記録する処理である周波数置換処理が実行されるため、受信可能な物理チャンネルの周波数帯域情報を効率的に取得することができる。
【００１４】
すなわち、受信手段を介して、受信可能であると判定された１の判定対象周波数情報に対応する周波数帯域のテレビジョン放送に含まれるＮＩＴ（Ｎｅｔｗｏｒｋ  Ｉｎｆｏｒｍａｔｉｏｎ  Ｔａｂｌｅ）情報が取得され、取得されたＮＩＴ情報の中から、判定対象周波数情報が抽出されため、的確な（＝受信可能である可能性の高い）判定対象周波数情報を確実に抽出することができるのである。また、ＮＩＴ情報の中から抽出された判定対象周波数情報が、周波数記憶手段に予め格納された判定対象周波数情報に換えて、周波数記憶手段に記録されるため、受信可能である可能性の高い判定対象周波数情報に対して受信可否が判定されるので、受信可能な物理チャンネルの周波数帯域情報を効率的に取得することができるのである。
【００１５】
請求項２に記載のデジタル放送受信装置によれば、デジタル放送受信装置が配設されている国の国名を識別する国名識別情報が国名記憶手段に予め格納されており、取得されたＮＩＴ情報に基づいて、受信可能であると判定された１の判定対象周波数情報に対応する周波数帯域のテレビジョン放送を送出する放送塔から送出されるテレビジョン放送が対象としている視聴者の居住する国の国名を識別する国名識別情報が取得される。そして、取得された国名識別情報が国名記憶手段に格納された国名識別情報と一致するか否かが判定され、一致しないと判定された場合に、周波数置換処理の実行が禁止されるため、的確な物理チャンネルの周波数帯域情報を効率的に取得することができる。
【００１６】
すなわち、受信可能であると判定された１の判定対象周波数情報に対応する周波数帯域のテレビジョン放送を送出する放送塔から送出されるテレビジョン放送が対象としている視聴者の居住する国の国名を識別する国名識別情報が、国名記憶手段に格納された国名識別情報と一致しないと判定された場合に、周波数置換処理の実行が禁止されるため、ユーザが視聴を所望するテレビジョン放送が対象としている視聴者の居住する国の国名を国名記憶手段に予め設定しておくことによって、他の国に居住する視聴者を対象としているテレビジョン放送に対応する物理チャンネルの周波数帯域情報が取得されることを防止することができるので、的確な物理チャンネルの周波数帯域情報を効率的に取得することができるのである。
【００１７】
請求項３に記載のデジタル放送受信装置によれば、欧州のデジタル放送規格であるＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）において規定されているＮＩＴ情報に含まれるｏｒｉｇｉｎａｌ＿ｎｅｔｗｏｒｋ＿ｉｄ（ＥＴＳＩ  ＥＮ  ３００  ４６８  Ｖ１．６．１（２００４−０６）参照）に基づいて、国名識別情報が取得されるため、簡素な構成で的確な国名識別情報を取得することができる。
【００１８】
請求項４に記載のデジタル放送受信装置によれば、受信可能であると判定された１の判定対象周波数情報に対応する周波数帯域のテレビジョン放送を送信している放送塔から送出する全ての周波数帯域情報が抽出されるため、受信可能な物理チャンネルの周波数帯域情報を更に効率的に取得することができる。
【００１９】
すなわち、受信可能であると判定された１の判定対象周波数情報に対応する周波数帯域のテレビジョン放送を送信している放送塔から送出する周波数帯域情報は、受信可能である可能性の高い判定対象周波数情報であるので、受信可能な物理チャンネルの周波数帯域情報を更に効率的に取得することができるのである。
【００２０】
請求項５に記載のデジタル放送受信装置によれば、他のネットワークに関するＮＩＴ情報に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙ（ＥＴＳＩ  ＥＮ  ３００  ４６８  Ｖ１．６．１（２００４−０６）参照）に基づいて、周波数帯域情報が抽出されるため、受信可能な物理チャンネルの周波数帯域情報を更に効率的に取得することができる。
【００２１】
すなわち、他のネットワークに関するＮＩＴ情報に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙに基づいて、周波数帯域情報が抽出されるため、受信可能であると判定された１の判定対象周波数情報に対応する周波数帯域のテレビジョン放送を送信している放送塔から送出する全ての周波数帯域情報が効率的に抽出されるので、受信可能な物理チャンネルの周波数帯域情報を更に効率的に取得することができるのである。
【００２２】
請求項６に記載のデジタル放送受信装置によれば、受信可能であると判定された１の判定対象周波数情報に対応する周波数帯域のテレビジョン放送を送信している放送塔を含む複数の放送塔から送出する全ての周波数帯域情報が抽出されるため、受信可能な物理チャンネルの周波数帯域情報を確実に取得することができる。
【００２３】
すなわち、受信可能であると判定された１の判定対象周波数情報に対応する周波数帯域のテレビジョン放送を送信している放送塔を含む複数の放送塔から送出する全ての周波数帯域情報は、受信可能である可能性が比較的高い判定対象周波数情報であるので、受信可能な物理チャンネルの周波数帯域情報を確実に（＝洩れなく）取得することができるのである。
【００２４】
請求項７に記載のデジタル放送受信装置によれば、他のネットワークに関するＮＩＴ情報に含まれるｆｒｅｑｕｅｎｃｙ  ｌｉｓｔ  ｄｅｓｃｒｉｐｔｏｒのｃｅｎｔｒｅ＿ｆｒｅｑｕｅｎｃｙ（ＥＴＳＩ  ＥＮ  ３００  ４６８  Ｖ１．６．１（２００４−０６）参照）に基づいて、周波数帯域情報が抽出されるため、受信可能な物理チャンネルの周波数帯域情報を更に効率的に取得することができる。
【００２５】
すなわち、他のネットワークに関するＮＩＴ情報に含まれるｆｒｅｑｕｅｎｃｙ  ｌｉｓｔ  ｄｅｓｃｒｉｐｔｏｒのｃｅｎｔｒｅ＿ｆｒｅｑｕｅｎｃｙに基づいて、周波数帯域情報が抽出されるため、受信可能であると判定された１の判定対象周波数情報に対応する周波数帯域のテレビジョン放送を送信している放送塔を含む複数の放送塔から送出する全ての周波数帯域情報が効率的に抽出されるので、受信可能な物理チャンネルの周波数帯域情報を更に効率的に取得することができるのである。
【発明を実施するための最良の形態】
【００２６】
以下に本発明の実施形態を、図面を参照しながら説明する。図１は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２７】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００２８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２９】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００３０】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００３１】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００３２】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００３３】
画像出力部１７は、ＭＰＥＧ２デコード部１６によって復号化された映像情報を出力するものであって、ＰＡＬエンコード部１７１、映像信号出力部１７２、及び、ディスプレイ１７３を備えている。ＰＡＬ（Ｐｈａｓｅ  Ａｌｔｅｒｎａｔｉｎｇ  Ｌｉｎｅ）エンコード部１７１は、ＭＰＥＧ２デコード部１６によって復号化された映像情報をＰＡＬ方式のテレビジョン信号に変換するものである。映像信号出力部１７２は、ＰＡＬエンコード部１７１から出力されたＰＡＬ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３４】
赤外線通信部１８は、リモコン２からの電源のＯＮ、ＯＦＦ操作、選局、デジタル放送受信機１の各種設定等の各種操作を受け付けるものである。
【００３５】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３６】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００３７】
また、ＲＡＭ１２から読み出された映像情報がＭＰＥＧ２デコード部１６によって圧縮前の映像情報に復号化され、ＰＡＬエンコード部１７１によってＰＡＬ方式のテレビジョン信号に変換されて、映像信号出力部１７２を介してディスプレイ１７３に映像が表示される。
【００３８】
図２は、本発明に係るデジタル放送受信機１における主要部の構成の一例を示すブロック図である。ＭＰＵ１１は、機能的に、受信可否判定部１１１、チャンネル記録部１１２、周波数取得部１１３、周波数置換部１１４、国名取得部１１５、国名判定部１１６、及び、禁止部１１７を備え、ＲＡＭ１２は、機能的に、周波数記憶部１２１、受信チャンネル記憶部１２２、及び、国名記憶部１２３を備えている。
【００３９】
ここでは、ＭＰＵ１１が、図１に示すＲＯＭ１３等に予め格納された制御プログラムを読み出して実行することにより、受信可否判定部１１１、チャンネル記録部１１２、周波数取得部１１３、周波数置換部１１４、国名取得部１１５、国名判定部１１６、禁止部１１７等の機能部として機能すると共に、ＲＡＭ１２を、周波数記憶部１２１、受信チャンネル記憶部１２２、国名記憶部１２３等の機能部として機能させるものである。
【００４０】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４１】
周波数記憶部１２１（周波数記憶手段に相当する）は、受信可否を判定する対象の物理チャンネルに対応する周波数帯域情報である判定対象周波数情報を複数個だけ予め格納するものである。また、周波数記憶部１２１に格納された判定対象周波数情報は、周波数置換部１１４によって、予め格納された判定対象周波数情報に換えて、周波数取得部１１３によって抽出された判定対象周波数情報が記録される（＝書き込まれる）ものである。更に、周波数記憶部１２１に格納された判定対象周波数情報は、受信可否判定部１１１によって読み出されるものである。
【００４２】
受信チャンネル記憶部１２２（受信チャンネル記憶手段に相当する）は、受信可能な物理チャンネルに対応する周波数帯域情報（いわゆる、チャンネルマップ）を格納するものである。受信チャンネル記憶部１２２に格納される周波数帯域情報は、チャンネル記録部１１２によって記録される（＝書き込まれる）ものである。
【００４３】
国名記憶部１２３（国名記憶手段に相当する）は、デジタル放送受信機１が配設されている国の国名を識別する国名識別情報を予め格納するものである。国名記憶部１２３に格納された国名識別情報は、国名判定部１１６によって読み出されるものである。
【００４４】
受信可否判定部１１１（受信可否判定手段に相当する）は、周波数記憶部１２１に格納された複数個の判定対象周波数情報の中から予め設定された順に１の判定対象周波数情報を選定し、受信部１４を介して、選定された判定対象周波数情報に対応する周波数帯域のテレビジョン放送の受信可否を判定するものである。具体的には、受信可否判定部１１１は、例えば、受信部１４を介して受信されるテレビジョン放送のＢＥＲ（Ｂｉｔ  Ｅｒｒｏｒ  Ｒａｔｅ）が予め設定された所定の閾値（例えば、１０-7）以下である場合に、受信可能であると判定するものである。
【００４５】
チャンネル記録部１１２（チャンネル記録手段に相当する）は、受信可否判定部１１１によって受信可能であると判定された場合に、受信可能であると判定された１の判定対象周波数情報に対応する周波数帯域情報を受信チャンネル記憶部１２２に記録する（＝書き込む）ことによって、いわゆるチャンネルマップを生成するものである。
【００４６】
周波数取得部１１３（周波数取得手段に相当する）は、受信可否判定部１１１によって受信可能であると判定された場合に、受信部１４を介して、受信可能であると判定された１の判定対象周波数情報に対応する周波数帯域のテレビジョン放送に含まれるＮＩＴ（Ｎｅｔｗｏｒｋ  Ｉｎｆｏｒｍａｔｉｏｎ  Ｔａｂｌｅ）情報を取得し、取得されたＮＩＴ情報の中から、受信可否を判定する対象の物理チャンネルに対応する周波数帯域情報である判定対象周波数情報を抽出するものである。
【００４７】
ここでは、周波数取得部１１３は、受信可否判定部１１１によって受信可能であると判定された１の判定対象周波数情報に対応する周波数帯域のテレビジョン放送を送信している放送塔から送出する全ての周波数帯域情報を抽出するものである。
【００４８】
具体的には、周波数取得部１１３は、他のネットワークに関するＮＩＴ情報（いわゆる、ＮＩＴ（ｏｔｈｅｒ）情報）に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙ（ＥＴＳＩ  ＥＮ  ３００  ４６８  Ｖ１．６．１（２００４−０６）参照）に基づいて、受信可否判定部１１１によって受信可能であると判定された１の判定対象周波数情報に対応する周波数帯域のテレビジョン放送を送信している放送塔から送出する全ての周波数帯域情報を抽出するものである。
【００４９】
図３、図４は、放送塔から送出される周波数帯域情報の一例を示す図表である。図３は、１の放送塔（ここでは、「Ｔｏｕｒ  Ｅｉｆｆｅｌ」という名称の放送塔）から送出される周波数帯域情報の一例を示す図表であり、図４は、他の１の放送塔（ここでは、「Ｃｈｅｎｎｅｖｉｅｒｅｓ」という名称の放送塔）から送出される周波数帯域情報の一例を示す図表である。
【００５０】
図３、図４に示す図表は、左欄から順に、放送塔の名称情報、物理チャンネル番号、中心周波数、論理チャンネル番号、及び、チャンネル名称情報が記載されている。図３に示すように、「Ｔｏｕｒ  Ｅｉｆｆｅｌ」という名称の放送塔からは、物理チャンネル番号が、「２１」「２４」「２７」「２９」「３２」「３５」である６個のチャンネルに対応する周波数帯域を有するテレビジョン放送が送信されている。一方、図４に示すように、「Ｃｈｅｎｎｅｖｉｅｒｅｓ」という名称の放送塔からは、物理チャンネル番号が、「３５」「５１」「５４」「５７」「６０」「６３」である６個のチャンネルに対応する周波数帯域を有するテレビジョン放送が送信されている。
【００５１】
従って、例えば、受信可否判定部１１１によって受信可能であると判定された１の判定対象周波数情報に対応するテレビジョン放送が、「Ｔｏｕｒ  Ｅｉｆｆｅｌ」という名称の放送塔からのテレビジョン放送である場合には、周波数取得部１１３によって、物理チャンネル番号が「２１」「２４」「２７」「２９」「３２」「３５」にそれぞれ対応する周波数帯域情報が取得される。また、受信可否判定部１１１によって受信可能であると判定された１の判定対象周波数情報に対応するテレビジョン放送が、「Ｃｈｅｎｎｅｖｉｅｒｅｓ」という名称の放送塔からのテレビジョン放送である場合には、周波数取得部１１３によって、物理チャンネル番号が「３５」「５１」「５４」「５７」「６０」「６３」にそれぞれ対応する周波数帯域情報が取得される。
【００５２】
再び、図２に戻って、ＭＰＵ１１の機能構成について説明する。周波数置換部１１４（周波数置換手段に相当する）は、周波数取得部１１３によって抽出された判定対象周波数情報を、周波数記憶部１２１に予め格納された判定対象周波数情報に換えて、周波数記憶部１２１に記録する処理である周波数置換処理を実行するものである。すなわち、周波数置換部１１４は、周波数取得部１１３によって判定対象周波数情報が抽出された場合に、周波数記憶部１２１に予め格納された判定対象周波数情報を消去して、周波数取得部１１３によって抽出された判定対象周波数情報を周波数記憶部１２１に記録する（＝書き込む）ものである。
【００５３】
ただし、周波数置換部１１４は、禁止部１１７によって周波数置換処理の実行が禁止されている場合には、禁止部１１７の指示に従って周波数置換処理を実行しない。すなわち、周波数置換部１１４は、禁止部１１７によって周波数置換処理の実行が禁止されていない場合に限って、周波数置換処理を実行するものである。
【００５４】
国名取得部１１５（国名取得手段に相当する）は、周波数取得部１１３によって取得されたＮＩＴ情報に基づいて、受信可否判定部１１１によって受信可能であると判定された１の判定対象周波数情報に対応する周波数帯域のテレビジョン放送を送出する放送塔から送出されるテレビジョン放送が対象としている視聴者の居住する国の国名を識別する国名識別情報を取得するものである。具体的には、国名取得部１１５は、ＮＩＴ情報に含まれるｏｒｉｇｉｎａｌ＿ｎｅｔｗｏｒｋ＿ｉｄ（ＥＴＳＩ  ＥＮ  ３００  ４６８  Ｖ１．６．１（２００４−０６）参照）に基づいて、国名識別情報を取得するものである。
【００５５】
国名判定部１１６（国名判定手段に相当する）は、国名取得部１１５によって取得された国名識別情報が国名記憶部１２３に格納された国名識別情報と一致するか否かを判定するものである。
【００５６】
禁止部１１７（禁止手段に相当する）は、国名判定部１１６によって一致しないと判定された場合に、周波数置換部１１４に対して、周波数置換処理の実行を禁止するものである。
【００５７】
図５、図６は、デジタル放送受信機１（主にＭＰＵ１１）の動作の一例を示すフローチャートである。ここでは、便宜上、周波数記憶部１２１に、複数の周波数帯域情報が予め格納されている場合について説明する。まず、図５に示すように、受信可否判定部１１１によって、周波数記憶部１２１に格納された複数個の判定対象周波数情報の中から１の判定対象周波数情報が選定されて、選定された１の判定対象周波数情報に対応する周波数帯域が読み出される（Ｓ１０１）。そして、受信可否判定部１１１によって、受信部１４を介して、ステップＳ１０１において読み出された周波数帯域のテレビジョン放送の受信可否が判定される（Ｓ１０３）。
【００５８】
テレビジョン放送が受信できないと判定された場合（Ｓ１０３でＮＯ）には、処理がステップＳ１０１に戻され、ステップＳ１０１以降の処理が繰り返し実行される。テレビジョン放送が受信できると判定された場合（Ｓ１０３でＹＥＳ）には、周波数置換部１１４によって、既に周波数置換処理が実行されたか否かの判定が行われる（Ｓ１０５）。未だ周波数置換処理が実行されていないと判定された場合（Ｓ１０５でＮＯ）には、図６に示すステップＳ１１３に処理が進められる。既に周波数置換処理が実行されていると判定された場合（Ｓ１０５でＹＥＳ）には、受信可否判定部１１１によって、周波数記憶部１２１に格納された全ての判定対象周波数情報に対応する周波数帯域について受信可否の判定が行われたか否かの判定が行われる（Ｓ１０７）。
【００５９】
受信可否の判定が行われていない判定対象周波数情報が有ると判定された場合（Ｓ１０７でＮＯ）には、チャンネル記録部１１２によって、ステップＳ１０１において選定された周波数帯域情報が受信チャンネル記憶部１２２に記録されて（Ｓ１１１）、処理がステップＳ１０１に戻され、ステップＳ１０１以降の処理が繰り返し実行される。
【００６０】
全ての判定対象周波数情報に対応する周波数帯域について受信可否の判定が行われたと判定された場合（Ｓ１０７でＹＥＳ）には、チャンネル記録部１１２によって、ステップＳ１０１において選定された周波数帯域情報が受信チャンネル記憶部１２２に記録されて（Ｓ１０９）、処理が終了される。
【００６１】
ステップＳ１０５でＮＯの場合には、図６に示すように、周波数取得部１１３によって、ステップＳ１０３において受信可能であると判定された１の判定対象周波数情報に対応する周波数帯域のテレビジョン放送に含まれるＮＩＴ（ｏｔｈｅｒ）情報が取得される（Ｓ１１３）。そして、国名取得部１１５によって、ステップＳ１１３において取得されたＮＩＴ（ｏｔｈｅｒ）情報からｏｒｉｇｉｎａｌ＿ｎｅｔｗｏｒｋ＿ｉｄに基づいて、国名識別情報が取得される（Ｓ１１５）。
【００６２】
次いで、国名判定部１１６によって、ステップＳ１１５において取得された国名識別情報が国名記憶部１２３に格納された国名識別情報と一致するか否かの判定が行われる（Ｓ１１７）。一致しないと判定された場合（Ｓ１１７でＮＯ）には、処理が図５に示すステップＳ１０１に戻され、ステップＳ１０１以降の処理が繰り返し実行される。一致すると判定された場合（Ｓ１１７でＹＥＳ）には、チャンネル記録部１１２によって、ステップＳ１０１において選定された周波数帯域情報が受信チャンネル記憶部１２２に記録される（Ｓ１１９）。
【００６３】
そして、周波数取得部１１３によって、ステップＳ１１３において取得されたＮＩＴ（ｏｔｈｅｒ）情報に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙに基づいて、ステップＳ１０３において受信可能であると判定された１の判定対象周波数情報に対応する周波数帯域のテレビジョン放送を送信している放送塔から送出する全ての周波数帯域情報が抽出されて、取得される（Ｓ１２１）。次いで、周波数置換部１１４によって、ステップＳ１２１において取得された周波数帯域情報が周波数記憶部１２１に記録されて（＝周波数置換処理が実行されて）（Ｓ１２３）、処理がステップＳ１０１に戻され、ステップＳ１０１以降の処理が繰り返し実行される。
【００６４】
このようにして、受信可否を判定する対象の物理チャンネルに対応する周波数帯域情報である判定対象周波数情報が複数個だけ周波数記憶部１２１に予め格納されており、周波数記憶部１２１に格納された複数個の判定対象周波数情報の中から予め設定された順に１の判定対象周波数情報が選定され、受信部１４を介して、選定された判定対象周波数情報に対応する周波数帯域のテレビジョン放送の受信可否が判定される。そして、受信可能であると判定された場合に、１の判定対象周波数情報に対応する周波数帯域情報が、受信可能な物理チャンネルに対応する周波数帯域情報を格納する受信チャンネル記憶部１２２に記録されると共に、受信部１４を介して、１の判定対象周波数情報に対応する周波数帯域のテレビジョン放送に含まれるＮＩＴ情報が取得され、取得されたＮＩＴ情報の中から判定対象周波数情報が抽出され、抽出された判定対象周波数情報が、周波数記憶部１２１に予め格納された判定対象周波数情報に換えて、周波数記憶部１２１に記録する処理である周波数置換処理が実行されるため、受信可能な物理チャンネルの周波数帯域情報を効率的に取得することができる。
【００６５】
すなわち、受信部１４を介して、受信可能であると判定された１の判定対象周波数情報に対応する周波数帯域のテレビジョン放送に含まれるＮＩＴ情報が取得され、取得されたＮＩＴ情報の中から、判定対象周波数情報が抽出されため、的確な（＝受信可能である可能性の高い）判定対象周波数情報を確実に抽出することができるのである。また、ＮＩＴ情報の中から抽出された判定対象周波数情報が、周波数記憶部１２１に予め格納された判定対象周波数情報に換えて、周波数記憶部１２１に記録されるため、受信可能である可能性の高い判定対象周波数情報に対して受信可否が判定されるので、受信可能な物理チャンネルの周波数帯域情報を効率的に取得することができるのである。
【００６６】
更に、デジタル放送受信機１が配設されている国の国名を識別する国名識別情報が国名記憶部１２３に予め格納されており、取得されたＮＩＴ情報に基づいて、受信可能であると判定された１の判定対象周波数情報に対応する周波数帯域のテレビジョン放送を送出する放送塔から送出されるテレビジョン放送が対象としている視聴者の居住する国の国名を識別する国名識別情報が取得される。そして、取得された国名識別情報が国名記憶部１２３に格納された国名識別情報と一致するか否かが判定され、一致しないと判定された場合に、周波数置換処理の実行が禁止されるため、的確な物理チャンネルの周波数帯域情報を効率的に取得することができる。
【００６７】
すなわち、受信可能であると判定された１の判定対象周波数情報に対応する周波数帯域のテレビジョン放送を送出する放送塔から送出されるテレビジョン放送が対象としている視聴者の居住する国の国名を識別する国名識別情報が、国名記憶部１２３に格納された国名識別情報と一致しないと判定された場合に、周波数置換処理の実行が禁止されるため、ユーザが視聴を所望するテレビジョン放送が対象としている視聴者の居住する国の国名を国名記憶部１２３に予め設定しておくことによって、他の国に居住する視聴者を対象としているテレビジョン放送に対応する物理チャンネルの周波数帯域情報が取得されることを防止することができるので、的確な物理チャンネルの周波数帯域情報を効率的に取得することができるのである。
【００６８】
加えて、欧州のデジタル放送規格であるＥＴＳＩにおいて規定されているＮＩＴ情報に含まれるｏｒｉｇｉｎａｌ＿ｎｅｔｗｏｒｋ＿ｉｄ（ＥＴＳＩ  ＥＮ  ３００  ４６８  Ｖ１．６．１（２００４−０６）参照）に基づいて、国名識別情報が取得されるため、簡素な構成で的確な国名識別情報を取得することができる。
【００６９】
また、受信可能であると判定された１の判定対象周波数情報に対応する周波数帯域のテレビジョン放送を送信している放送塔から送出する全ての周波数帯域情報が抽出されるため、受信可能な物理チャンネルの周波数帯域情報を更に効率的に取得することができる。
【００７０】
すなわち、受信可能であると判定された１の判定対象周波数情報に対応する周波数帯域のテレビジョン放送を送信している放送塔から送出する周波数帯域情報は、受信可能である可能性の高い判定対象周波数情報であるので、受信可能な物理チャンネルの周波数帯域情報を更に効率的に取得することができるのである。
【００７１】
更に、他のネットワークに関するＮＩＴ情報に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙ（ＥＴＳＩ  ＥＮ  ３００  ４６８  Ｖ１．６．１（２００４−０６）参照）に基づいて、周波数帯域情報が抽出されるため、受信可能な物理チャンネルの周波数帯域情報を更に効率的に取得することができる。
【００７２】
すなわち、他のネットワークに関するＮＩＴ情報に含まれるｔｅｒｒｅｓｔｒｉａｌ＿ｄｅｌｉｖｅｒｙ＿ｓｙｓｔｅｍ＿ｄｅｓｃｒｉｐｔｏｒのｃｅｎｔｒｅ＿ｆｒｅｑｕｅｎｃｙに基づいて、周波数帯域情報が抽出されるため、受信可能であると判定された１の判定対象周波数情報に対応する周波数帯域のテレビジョン放送を送信している放送塔から送出する全ての周波数帯域情報が効率的に抽出されるので、受信可能な物理チャンネルの周波数帯域情報を更に効率的に取得することができるのである。
【００７３】
なお、本発明は、以下の形態にも適用可能である。
（Ａ）本実施形態では、デジタル放送受信装置が、デジタル放送を受信するデジタル放送受信機１である場合について説明したが、デジタル放送受信装置が、デジタル放送及びアナログ放送を受信する形態でもよい。
【００７４】
（Ｂ）本実施形態では、ＭＰＵ１１が、受信可否判定部１１１、チャンネル記録部１１２、周波数取得部１１３、周波数置換部１１４、国名取得部１１５、国名判定部１１６、禁止部１１７等の機能部を備える場合について説明したが、受信可否判定部１１１、チャンネル記録部１１２、周波数取得部１１３、周波数置換部１１４、国名取得部１１５、国名判定部１１６、及び、禁止部１１７の内、少なくとも１の機能部が、回路等のハードウェアによって実現されている形態でもよい。
【００７５】
（Ｃ）本実施形態では、周波数取得部１１３が、受信可能であると判定された１の判定対象周波数情報に対応する周波数帯域のテレビジョン放送を送信している放送塔から送出する全ての周波数帯域情報を抽出する場合について説明したが、周波数取得部１１３が、受信可能であると判定された１の判定対象周波数情報に対応する周波数帯域のテレビジョン放送を送信している放送塔を含む複数の放送塔から送出する全ての周波数帯域情報を抽出する形態でもよい。
【００７６】
この場合には、受信可能であると判定された１の判定対象周波数情報に対応する周波数帯域のテレビジョン放送を送信している放送塔を含む複数の放送塔から送出する全ての周波数帯域情報は、受信可能である可能性が比較的高い判定対象周波数情報であるので、受信可能な物理チャンネルの周波数帯域情報を確実に（＝洩れなく）取得することができる。
【００７７】
具体的には、周波数取得部１１３が、ＮＩＴ（ｏｔｈｅｒ）情報に含まれるｆｒｅｑｕｅｎｃｙ  ｌｉｓｔ  ｄｅｓｃｒｉｐｔｏｒのｃｅｎｔｒｅ＿ｆｒｅｑｕｅｎｃｙに基づいて、受信可能であると判定された１の判定対象周波数情報に対応する周波数帯域のテレビジョン放送を送信している放送塔を含む複数の放送塔から送出する全ての周波数帯域情報を抽出する形態でもよい。
【００７８】
この場合には、ＮＩＴ（ｏｔｈｅｒ）情報に含まれるｆｒｅｑｕｅｎｃｙ  ｌｉｓｔ  ｄｅｓｃｒｉｐｔｏｒのｃｅｎｔｒｅ＿ｆｒｅｑｕｅｎｃｙに基づいて、周波数帯域情報が抽出されるため、受信可能であると判定された１の判定対象周波数情報に対応する周波数帯域のテレビジョン放送を送信している放送塔を含む複数の放送塔から送出する全ての周波数帯域情報が効率的に抽出されるので、受信可能な物理チャンネルの周波数帯域情報を更に効率的に取得することができる。
【図面の簡単な説明】
【００７９】
【図１】は、本発明に係るデジタル放送受信機の構成の一例を示すブロック図である。
【図２】は、本発明に係るデジタル放送受信機における主要部の構成の一例を示すブロック図である。
【図３】は、放送塔から送出される周波数帯域情報の一例を示す図表である。
【図４】は、放送塔から送出される周波数帯域情報の一例を示す図表である。
【図５】は、デジタル放送受信機（主にＭＰＵ）の動作の一例を示すフローチャート（前半部）である。
【図６】は、デジタル放送受信機（主にＭＰＵ）の動作の一例を示すフローチャート（後半部）である。
【符号の説明】
【００８０】
１    デジタル放送受信機（デジタル放送受信装置）
１１    ＭＰＵ
１１１    受信可否判定部（受信可否判定手段）
１１２    チャンネル記録部（チャンネル記録手段）
１１３    周波数取得部（周波数取得手段）
１１４    周波数置換部（周波数置換手段）
１１５    国名取得部（国名取得手段）
１１６    国名判定部（国名判定
１１７    禁止部（禁止手段）
１２    ＲＡＭ
１２１    周波数記憶部（周波数記憶手段）
１２２    受信チャンネル記憶部（受信チャンネル記憶手段）
１２３    国名記憶部（国名記憶手段）
１４    受信部（受信手段）
１７    画像出力部
１７３    ディスプレイ（モニタ）
【図１】
2009105792.tif 000003
【図２】
2009105792.tif 000004
【図３】
2009105792.tif 000005
【図４】
2009105792.tif 000006
【図５】
2009105792.tif 000007
【図６】
2009105792.tif 000008